(57)【要約】【課題】消毒液の薬効を維持するとともに、消毒液を補給する際に、新しい消毒液に全て入れ替えることができる消毒液容器２を提供する。【解決手段】消毒液を収容する胴部２１２と、開口部２１１aを有する口部２１１と、胴部２１２内に収容された消毒液が胴部２１２から流出することを禁止する膜部材２２と、を有する消毒液収容手段と、口部２１１に取り付けられ、開口部２１１aの形成方向と同一方向に延びる流出孔２３１が形成された蓋部２３と、流出孔２３１内に少なくとも一部が位置する開封閉塞手段であって、開口部２１１aへ接近する方向に外力が加わると、膜部材２２に当接して、膜部材２２を穿孔し、外力が無くなると、膜部材２２から離間して、流出孔２３１を塞ぐ開封閉塞手段と、を有する消毒液収容器２。【選択図】図２
2014036707.tif 000002
【特許請求の範囲】
【請求項１】
消毒液を噴射する噴射装置に対して着脱可能に装着され、装着時に前記噴射装置に対して消毒液を供給する消毒液収容器であって、
消毒液を収容する胴部と、前記胴部の端部に形成され、開口部を有する口部と、前記胴部内に収容された消毒液が前記胴部内から流出することを禁止する膜部材とを有する消毒液収容手段と、
前記口部に取付けられ、前記開口部と向き合う位置に、前記開口部の形成方向と同一方向に延びる流出孔が形成された蓋部と、
前記流出孔内に少なくとも一部が位置する開封閉塞手段であって、前記開口部へ接近する方向に外力が加わると、前記膜部材に当接して、前記膜部材を穿孔し、前記外力が無くなると、前記膜部材から離間して、前記流出孔を塞ぐ開封閉塞手段と、を有することを特徴とする消毒液収容器。
【請求項２】
前記消毒液収容手段は、前記膜部材により前記開口部を閉塞された密封容器であり、
前記蓋部は、前記口部の外面に取り付けられ、外周面に前記噴射装置に装着するための螺合部が形成されたものであり、
前記開封閉塞手段は、前記流出孔内に位置して前記形成方向に進退可能な可動部と、前記可動部における前記開口部側の端部に形成された弁部と、を有する開封閉塞部材である請求項１に記載の消毒液収容器であって、
前記開封閉塞部材に対して前記開口部に接近する方向に外力が加わると、前記弁部が前記膜部材に当接することにより、前記膜部材が穿孔され、
前記外力が無くなると、自重によって前記開封閉塞部材が前記接近方向とは反対方向に移動して、前記弁部により前記流出孔が塞がれることを特徴とする消毒液収容器。
【請求項３】
前記流出孔は、前記開口部に向かうにつれて末広がり形状のテーパ面を有し、
前記弁部が前記テーパ面に当接することにより前記流出孔が塞がれることを特徴とする請求項２に記載の消毒液収容器。
【請求項４】
前記開封閉塞部材は、さらに、前記弁部を前記膜部材から離間する方向に付勢する付勢部材を有することを特徴とする請求項２または請求項３に記載の消毒液収容器。
【請求項５】
消毒液を噴射対象物に噴射する噴射部と、前記噴射部に消毒液を導出する導出孔を有する保持部とを備える容器保持具と、
消毒液収容手段と、蓋部と、開封閉塞手段とを有し、前記容器保持具に着脱可能に取り付けられる消毒液収容器と、
を備える消毒液噴射装置であって、
前記消毒液収容手段は、消毒液を収容する胴部と、前記胴部の端部に形成され、開口部を有する口部と、前記胴部内に収容された消毒液が前記胴部内から流出することを禁止する膜部材と、を有し、
前記蓋部は、前記口部に取付けられ、前記開口部と向き合う位置に、前記開口部の形成方向と同一方向に延びる流出孔が形成されており、
前記開封閉塞手段は、前記流出孔内に少なくとも一部が位置しており、
前記消毒液収容器を前記容器保持具に装着する前は、前記開封閉塞手段が、前記膜部材から離間して前記流出孔を塞ぐ位置にあり、
前記消毒液収容器を前記容器保持具に装着した際には、前記開封閉塞手段が、前記流出孔を塞ぐ位置から前記膜部材を穿孔する位置へ移動し、前記胴部内の消毒液を前記流出孔から流出させ、
前記消毒液収容器を前記容器保持具から脱着する際には、前記開封閉塞手段が、前記膜部材を穿孔する位置から前記流出孔を塞ぐ位置へ移動し、前記胴部内の消毒液が前記流出孔から流出することを禁止することを特徴とする消毒液噴射装置。
【請求項６】
前記消毒液収容手段は、前記膜部材により前記開口部を閉塞された密封容器であり、
前記蓋部は、前記口部の外面に取付けられ、外周面において前記導出孔に装着するための螺合部が形成されており、
前記開封閉塞手段は、前記流出孔内に位置して前記形成方向に進退可能な可動部と、前記可動部における前記開口部側の端部に形成された弁部とを有し、
前記保持部は、前記導出孔の下端に形成された当接部を有する請求項５に記載の消毒液噴射装置であって、
前記消毒液収容器を前記容器保持具に装着する前は、前記開封閉塞部材の自重により、前記弁部は前記流出孔を塞ぐ位置にあり、
前記消毒液収容器を前記容器保持具に装着した際には、前記可動部の下端が前記当接部に当接することで、前記弁部は前記流出孔を塞ぐ位置から前記膜部材を穿孔する位置へ移動し、前記密封容器内の消毒液を前記流出孔から流出させ、
前記消毒液収容器を前記容器保持具から脱着する際には、前記開封閉塞部材の自重により、前記弁部は前記膜部材を穿孔する位置から前記流出孔を塞ぐ位置へ移動し、前記密封容器内の消毒液が前記流出孔から流出することを禁止することを特徴とする消毒液噴射装置。
【請求項７】
前記噴射部は、前記消毒液収容器内の消毒液を噴射するノズル部と、前記ノズル部による噴射予定位置に噴射対象物が接近することを検知する検知部とを有し、
前記検知部で噴射対象物が前記噴射予定位置に接近したことを検知した場合において、前記ノズル部から噴射対象物に消毒液を噴射することを特徴とする請求項５または６に記載の消毒液噴射装置。
【請求項８】
前記容器保持具には、係合孔が形成されており、
さらに、壁面に固定し、前記容器保持具の係合孔に係合する係合部が形成された壁面固定部材を有することを特徴とする請求項５乃至７のいずれか一項に記載の消毒液噴射装置。
【請求項９】
前記噴射部を下方に面する状態にして、前記容器保持具の端部を挟持し、設置面に対して固定する載置保持部材を有することを特徴とする請求項５乃至７のいずれか一項に記載の消毒液噴射装置。
【請求項１０】
請求項５乃至９のいずれか一項に記載された消毒液噴射装置であって、
前記噴射部から消毒液を噴射された噴射対象物としての除菌シートを用いて、洋式便器装置の便座を除菌することを特徴とする消毒液噴射装置。
【発明の詳細な説明】
【技術分野】
【０００１】
本発明は、消毒液の薬効を維持するとともに、消毒液を補給する際に、内部に収容した消毒液を全て入れ替えることができる消毒液容器に関する。
【背景技術】
【０００２】
近年、衛生面向上の観点から、手指に付着した細菌を殺菌する消毒液噴射装置、または他人と接触する部分を除菌する消毒液噴射装置に関する技術が鋭意研究されている。
【０００３】
特許文献１に開示された手指消毒器は、加熱部により消毒液容器内の消毒液を所望の温度に保ち、消毒液を塗布する時間が設定時間を経過したことを使用者に知らせ、手指に付着した細菌を殺菌することができる。
【０００４】
特許文献２に開示された洋式便器のロータンクは、トイレットペーパーが近接したことをペーパー感知センサによって感知した場合に、カバー内に設けられた収納部に固定した消毒液容器から消毒液をトイレットペーパーに噴射する。そして、この消毒液が噴射されたトイレットペーパーを用いて、不特定多数の臀部が直に接する便座（他人との接触する部分）を拭き、便座を除菌することができる。    
【先行技術文献】
【特許文献】
【０００５】
【特許文献１】実登第３０１０４９５号公報
【特許文献２】実開平５−４７０６９号公報
【発明の概要】
【発明が解決しようとする課題】
【０００６】
しかし、特許文献１の消毒液容器は上方が開口しており、消毒液容器内に収容した消毒液と大気が接触するため、消毒液の薬効が劣化し、消毒液容器の内壁面に藻が生える可能性があった。また、特許文献１の消毒液容器および特許文献２の消毒液のタンクは、ともに容器受箱および収納部に固定するため、消毒液を補給する際に、上から新しい消毒液を注入して、消毒液容器および消毒液のタンクに消毒液を補給する必要があった。このように、新しい消毒液を注入して補給する場合、消毒液容器および消毒液のタンク内に、時間経過で薬効が劣化した消毒液が残り、薬効が劣化した消毒液が噴射される可能性があった。そのため、特許文献１の手指消毒器に関しては、手指に付着した細菌の殺菌効果が不十分であり、特許文献２の洋風便器のロータンクに関しては、消毒液が噴射されたトイレットペーパーで便座を拭いても便座の除菌が不十分であった。
【０００７】
そこで、本発明は、消毒液の薬効を維持するとともに、消毒液を補給する際に、内部に収容した消毒液を全て入れ替えることができる消毒液容器を提供するものである。
【課題を解決するための手段】
【０００８】
上記課題を解決するために、本発明の消毒液収容器は、（１）消毒液を噴射する噴射装置に対して着脱可能に装着され、装着時に前記噴射装置に対して消毒液を供給する消毒液収容器であって、消毒液を収容する胴部と、前記胴部の端部に形成され、開口部を有する口部と、前記胴部内に収容された消毒液が前記胴部内から流出することを禁止する膜部材とを有する消毒液収容手段と、前記口部に取付けられ、前記開口部と向き合う位置に、前記開口部の形成方向と同一方向に延びる流出孔が形成された蓋部と、前記流出孔内に少なくとも一部が位置する開封閉塞手段であって、前記開口部へ接近する方向に外力が加わると、前記膜部材に当接して、前記膜部材を穿孔し、前記外力が無くなると、自重により前記接近方向とは反対側に移動して、前記流出孔を塞ぐ開封閉塞手段と、を有することを特徴とする。
【０００９】
（２）前記消毒液収容手段は、前記膜部材により前記開口部を閉塞された密封容器であり、前記蓋部は、外周面に前記噴射装置に装着するための螺合部が形成されたものであり、前記開封閉塞手段は、前記流出孔内に位置して前記形成方向に進退可能な可動部と、前記可動部における前記開口部側の端部に形成された弁部と、を有する開封閉塞部材である上記（１）の消毒液収容器であって、前記開封閉塞部材に対して前記開口部に接近する方向に外力が加わると、前記弁部が前記膜部材に当接することにより、前記膜部材が穿孔され、前記外力が無くなると、自重によって前記開封閉塞部材が前記接近方向とは反対方向に移動して、前記弁部により前記流出孔が塞がれることを特徴とする。
【００１０】
（３）上記（２）の構成において、前記流出孔は、前記開口部に向かうにつれて末広がり形状のテーパ面を有し、前記弁部が前記テーパ面に当接することにより前記流出孔が塞がれることを特徴とする。
【００１１】
（４）上記（２）または（３）の構成において、前記開封閉塞部材は、さらに、前記弁部を前記膜部材から離間する方向に付勢する付勢部材を有することを特徴とする。
【００１２】
上記課題を解決するために、本発明の消毒液噴射装置は、（５）消毒液を噴射対象物に噴射する噴射部と、前記噴射部に消毒液を導出する導出孔を有する保持部とを備える容器保持具と、消毒液収容手段と、蓋部と、開封閉塞手段とを有し、前記容器保持具に着脱可能に取り付けられる消毒液収容器と、を備える消毒液噴射装置であって、前記消毒液収容手段は、消毒液を収容する胴部と、前記胴部の端部に形成され、開口部を有する口部と、前記胴部内に収容された消毒液が前記胴部内から流出することを禁止する膜部材と、を有し、前記蓋部は、前記口部に取付けられ、前記開口部と向き合う位置に、前記開口部の形成方向と同一方向に延びる流出孔が形成されており、前記開封閉塞手段は、前記流出孔内に少なくとも一部が位置しており、前記消毒液収容器を前記容器保持具に装着する前は、前記開封閉塞手段が、前記膜部材から離間して前記流出孔を塞ぐ位置にあり、前記消毒液収容器を前記容器保持具に装着した際には、前記開封閉塞手段が、前記流出孔を塞ぐ位置から前記膜部材を穿孔する位置へ移動し、前記胴部内の消毒液を前記流出孔から流出させ、前記消毒液収容器を前記容器保持具から脱着する際には、、前記開封閉塞手段が、前記膜部材を穿孔する位置から前記流出孔を塞ぐ位置へ移動し、前記胴部内の消毒液が前記流出孔から流出することを禁止することを特徴とする。
【００１３】
（６）前記消毒液収容手段は、前記膜部材により前記開口部を閉塞された密封容器であり、前記蓋部は、前記口部の外面に取付けられ、外周面において前記導出孔に装着するための螺合部が形成されており、前記開封閉塞手段は、前記流出孔内に位置して前記形成方向に進退可能な可動部と、前記可動部における前記開口部側の端部に形成された弁部とを有し、前記保持部は、前記導出孔の下端に形成された当接部を有する上記（５）の消毒液噴射装置であって、前記消毒液収容器を前記容器保持具に装着する前は、前記開封閉塞部材の自重により、前記弁部は前記流出孔を塞ぐ位置にあり、前記消毒液収容器を前記容器保持具に装着した際には、前記可動部の下端が前記当接部に当接することで、前記弁部は前記流出孔を塞ぐ位置から前記膜部材を穿孔する位置へ移動し、前記密封容器内の消毒液を前記流出孔から流出させ、前記消毒液収容器を前記容器保持具から脱着する際には、前記開封閉塞部材の自重により、前記弁部は前記膜部材を穿孔する位置から前記流出孔を塞ぐ位置へ移動し、前記密封容器内の消毒液が前記流出孔から流出することを禁止することを特徴とする。
【００１４】
（７）上記（５）または（６）の構成において、前記噴射部は、前記消毒液収容器内の消毒液を噴射するノズル部と、前記ノズル部による噴射予定位置に噴射対象物が接近することを検知する検知部とを有し、前記検知部で噴射対象物が前記噴射予定位置に接近したことを検知した場合において、前記ノズル部から噴射対象物に消毒液を噴射することを特徴とする。
【００１５】
（８）上記（５）乃至（７）のいずれか一項に記載された構成において、前記容器保持具には、係合孔が形成されており、さらに、壁面に固定し、前記容器保持具の係合孔に係合する係合部が形成された壁面固定部材を有することを特徴とする。
【００１６】
（９）上記（５）乃至（７）のいずれか一項に記載された構成において、前記噴射部を下方に面する状態にして、前記容器保持具の端部を挟持し、設置面に対して固定する載置保持部材を有することを特徴とする。
【００１７】
（１０）上記（５）乃至（９）のいずれか一項に記載された消毒液噴射装置であって、前記噴射部から消毒液を噴射された噴射対象物としての除菌シートを用いて、洋式便器装置の便座を除菌することを特徴とする。
【発明の効果】
【００１８】
本発明によれば、消毒液の薬効を維持するとともに、消毒液を補給する際に、内部に収容した消毒液を全て入れ替えることができる。
【図面の簡単な説明】
【００１９】
【図１】第１実施形態の消毒液噴射装置を設置した場合における概略図である。
【図２】図１に示すカバー部を開いた際の消毒液噴射装置における密封容器、蓋部、開封閉塞部材および保持部を分解した分解斜視図である。
【図３】図１に示す消毒液噴射装置のＡ−Ａ断面図である。
【図４】壁面固定部材の概略図である。
【図５】図１に示す消毒液噴射装置の制御フローチャートである。
【図６】図３に示す消毒液噴射装置における消毒液収容器を容器保持具に螺合している際の動作説明図である。
【図７】第２実施形態の消毒液噴射装置を設置した場合における概略図である。
【図８】載置保持部材の概略図である。
【図９】第３実施形態のカバー部を開いた際の消毒液噴射装置における消毒液収納壁および保持部を分解した分解斜視図である。
【図１０】第４実施形態のカバー部を開いた際の消毒液噴射装置における容器、膜部材、蓋部および弁部材を分解した分解斜視図である。
【図１１】第４実施形態の消毒液噴射装置における流出孔の中心を含むＸ−Ｚ断面図である。
【発明を実施するための形態】
【００２０】
以下、本発明を図面に示す実施形態に基づいて説明する。
【００２１】
（第１実施形態）
第１実施形態においては、洋式便器の便座を除菌する消毒液噴射装置１について説明する。
【００２２】
図１は壁面６に固定した場合における消毒液噴射装置１の概略図、図２は図１に示すカバー部３７を開いた際の消毒液噴射装置１における密封容器（消毒液収容手段）２１、蓋部２３、開封閉塞部材（開封閉塞手段）２４および保持部３１を分解した分解斜視図、図３は図１に示す消毒液噴射装置１のＡ−Ａ断面図の概略図、および図４は壁面固定部材３８の概略図である。また、消毒液噴射装置１の長手方向をｚ軸、ベース部３３の板幅方向をｘ軸、ベース部３３の板厚方向をｙ軸とする。なお、図３において消毒液をドットで示す。
【００２３】
第１実施形態における消毒液噴射装置１は、洋式便器装置（不図示）の便座部（不図示）を除菌するために、例えばトイレットペーパー等の噴射対象物（不図示）に消毒液を噴射する。この洋式便器装置は、使用者から排泄された汚物を受けるボウル部（不図示）と、汚物を排出するとともに汚物を受けたボウル部の内壁面を洗浄する洗浄水を貯水する貯水タンク（不図示）と、ボウル部の上端に周設され、洗浄水をボウル部へ吐出するリム部（不図示）およびリム部の上端に当接し、使用者が着座する便座部とを有する。
【００２４】
本発明の消毒液噴射装置１は、図１および図２に示すように、消毒液収容器２および容器保持具３からなる。
【００２５】
まず、消毒液収容器２について説明する。図２および図３に示すように、消毒液収容器２は、密封容器２１、蓋部２３および開封閉塞部材２４からなる。密封容器２１は、消毒液を収容する胴部２１２と、胴部２１２の端部に形成された口部２１１と、口部２１１に形成された開口部２１１aを閉塞する膜部材２２とを有する。この密封容器２１の口部２１１における外周面には、螺旋状の容器側螺合部２１３が形成されている。密封容器２１の底部には、大気と消毒液収容器２内を連通する大気連通孔２１２aおよび大気連通孔２１２aを封止する封止ビス（不図示）を備える。
【００２６】
蓋部２３は、図２および３に示すように、口部２１１の外面に取り付けられ、開口部２１１aと向き合う位置に、開口部２１１aの形成方向と同一方向に延びる流出孔２３１が形成されている。蓋部２３の外周面には、容器保持具３に装着するための蓋側螺合部２３３（螺合部）が形成されており、蓋部２３の内周面には、容器側螺合部２１３と螺合する螺合溝２３２が形成されている。
【００２７】
開封閉塞部材２４は、図２および３に示すように、流出孔２３１内に位置して（流出孔２３１内に少なくとも一部が位置して）形成方向に進退可能な可動部２４１と、可動部２４１における開口部２１１a側の端部に形成された弁部２４２と、を有する。この開封閉塞部材２４に対して開口部２１１aに接近する方向に外力が加わると、弁部２４２が膜部材２２に当接して、膜部材２２が穿孔される。また、開封閉塞部材２４に加わる外力が無くなると、自重によって開封閉塞部材２４が接近方向とは反対方向に移動して、弁部２４２により流出孔２３１が塞がれる。
【００２８】
ここで、流出孔２３１としては、開口部２１１に向かうにつれて末広がりのテーパ形状としても良い。この構成により、開封閉塞部材２４に外力が加わらない場合に、開封閉塞部材２４が自重で降下し、図６のように流出孔２３１に弁部２４２を密着させて、密封容器２１に収容された消毒液が流出孔２３１から流出することを確実に禁止することができる。
【００２９】
また、開封閉塞部材２４は、図２および図３に示すように、弁部２４２を膜部材２２から離間する方向に付勢する付勢部材２４３を有しても良い。この構成により、開封閉塞部材２４に外力が加わらない場合に、付勢部材２４３が開封閉塞部材２４の弁部２４２を膜部材２２から離間させて、弁部２４２が膜部材２２を穿孔することを防止することができる。すなわち、開封閉塞部材２４に外力が加わらない場合（容器保持具３に消毒液収容器２が装着される前の場合）（例えば、消毒液収容器２のみを輸送している場合など）において、開封閉塞部材２４の弁部２４２が、誤って膜部材２２を開封することを防止することができる。また、容器保持具３に消毒液収容器２を装着する以外の場合においては、付勢部材２４３が開封閉塞部材２４の弁部２４２を膜部材２２から離間する方向に付勢することで、開封閉塞部材２４を流出孔２３１に密着させて、蓋部２３の外へ消毒液が漏れ出すことを防止することができる。
【００３０】
次に、容器保持具３について説明する。容器保持具３は、図２および図３に示すように、保持部３１、噴射部３６、カバー部３７、壁面固定部材３８および電池収容部３９からなる。保持部３１は、密封容器２１の側面を保持する側面保持部材３２と、複数カ所に後述の壁面固定部材３８の係合部３８１が係合される係合孔３３１が設けられた板状のベース部３３と、ベース部３３の側面保持部材３２側の側面に固定された台座部３４とを有する。この台座部３４には、図３に示すように、上端から下方へ延びる導出孔３４１、および導出孔３４１の下端に形成され、開封閉塞部材２４の下端に当接する当接部３４２を有する。この当接部３４２は、消毒液収容器２を容器保持具３に装着する装着動作中において、自重により降下状態にある開封閉塞部材２４の下端と当接する。具体的には、消毒液収容器２を容器保持具３に装着する装着動作が進むに従い、開封閉塞部材２４は、当接部３４２により持ち上げられ、流出孔２３１から離間するとともに、開口部２１１aに接近する方向（流出孔２３１を穿孔する位置）に移動する。そして、この装着動作が完了した際に、当接部３４２は、開口部２１１aを閉塞する膜部材２２を穿孔する。
【００３１】
また、保持部３１は、導出孔３４１内に充填された消毒液が外へ流出することを防止する流出防止壁３５と、後述のカバー部側キー溝３７２および保持部側キー溝３２１に挿入する挿入キー３１１とを有する。挿入キー３１１は、図２に示すように、側面にキー（不図示）を装着するキー装着部３１１aおよび保持部側キー溝３２１に係止する係止部３１１ｂを有する。
【００３２】
側面保持部材３２は、図２に示すように、係止部３１１ｂを挿通する挿通部３２１aおよび係止部３１１ｂに係止される被係止部３２１ｂからなる保持部側キー溝３２１を有する。この保持部側キー溝３２１は、カバー部３７を閉じた状態（図１の状態）において、後述のカバー部側キー溝３７２と重なる位置に形成されている。この構成により、カバー部３７を閉じた状態において、キー装着部３１１aにキーを装着し、キーおよび挿入キー３１１を、カバー部側キー溝３７２および保持部側キー溝３２１に対して挿入して回動することで、挿入キー３１１の係止部３１１ｂを保持部側キー溝３２１の被係止部３２１ｂに係止させ、カバー部３７を側面保持部材３２に固定する。この構成により、消毒液噴射装置１の設置者以外の者が、勝手にカバー部３７を開き、消毒液収容器２を容器保持具３から取り外すことを防止することができる。また、保持部３１の側面にキー装着部３１１aおよび保持部側キー溝３２１を設けているため、カバー部側キー溝３７２にほこり等が溜まることを防ぐことができる。
【００３３】
噴射部３６は、当接部３４２に導通し、消毒液を噴射対象物に噴射するノズル部３６１と、ノズル部３６１による噴射予定位置に噴射対象物が接近することを検知する検知部３６２とを有する。この検知部３６２により噴射対象物が噴射予定位置に接近したことを検知して、消毒液収容器２内の消毒液をノズル部３６１から噴射対象物へ自動で噴射する。
【００３４】
カバー部３７は、保持部３１、蓋部２３、開封閉塞部材２４および密封容器２１を覆うものであり、容器形状をしている。このカバー部３７は、下方端部の内壁面に突状の軸部３７１を有し、この軸部３７１を保持部３１の凹部に挿入して、図１の状態から図２の状態となるようにカバー部３７をベース部３３に対して接離自在に固定する。この構成により、密封容器２１内の消毒液を交換する場合には、カバー部３７をベース部３３から離間させた状態（カバー部３７を開いた状態）（図２）とし、古い消毒液を収容する消毒液収容器２を保持部３１から取り外して、新しい消毒液を収容する消毒液収容器２を保持部３１に取付けることができる。また、消毒液噴射装置１におけるノズル部３６１から消毒液を噴射する場合には、カバー部３７により保持部３１、蓋部２３、開封閉塞部材２４および密封容器２１を覆った状態とするため、壁面６への設置時における消毒液噴射装置１の外観をすっきりとさせることができる。なお、このカバー部３７には、図１および２に示すように、挿入キー３１１を挿入するカバー部側キー溝３７２が形成されている。
【００３５】
壁面固定部材３８は、図４に示す板状の部材であり、ベース部３３における係合孔３３１の位置に応じて、表面に突状の係合部３８１が形成され、係合部３８１の近傍にはビス孔３８２が設けられている。この壁面固定部材３８は、試験的に消毒液噴射装置１を使用する場合には、壁面固定部材３８の裏面に両面テープ等を付して壁面６に仮止めし、長期的に消毒液噴射装置１を使用する場合には、壁面６に仮止めした状態の壁面固定部材３８においてビス（不図示）をビス孔３８２に打込んで固定する。このように壁面固定部材３８を壁面６に固定した後に、容器保持具３の係合孔３３１に壁面固定部材３８の係合部３８１を係合して、容器保持具３を壁面６に対して固定する。
【００３６】
電池収容部３９は、図２に示すように、台座部３４の側面に設けられており、噴射部３６に電力を供給する電池を収容する。この電池収容部３９は、カバー部３７を開いた状態（図２の状態）におけるカバー部３７の上端よりも上に設けると良い。この位置に設けることで、カバー部３７を開いた状態として、電池収容部３９を台座部３４から取り出す際に、電池収容部３９がカバー部３７に干渉することがない。これにより、設置者は、電池収容部３９内の電池を容易に交換することができる。
【００３７】
上記構成により、第１実施形態の消毒液噴射装置１は、消毒液収容器２を容器保持具３に装着するまでの間、密封容器２１内を密封状態として、内部の消毒液と外部の空気との接触を防ぐことで、消毒液の薬効を長期間に渡り持続することができる。また、第１実施形態の消毒液噴射装置１は、消毒液収容器２を容器保持具３に挿入した際に密封容器２１内の膜部材２２を開封する構成であるため、消毒液収容器２と容器保持具３を装着する際においても密封容器２１内の消毒液と外の空気との接触を少なくすることができる。
【００３８】
また、上記構成により、第１実施形態の消毒液噴射装置１は、検知部３６２からの検知タイミングに基づいて自動でノズル部３６１から消毒液を噴射するため、使用者は、特に噴射開始レバー等を操作しなくて済むため、噴射開始レバーを介して他の使用者から交差感染することも防ぐことができる。
【００３９】
次に、図５のフローチャートを参照しながら、本実施形態である消毒液噴射装置１を用いた除菌方法について説明する。図５は第１実施形態である消毒液噴射装置１の制御フローチャートであり、図６は消毒液収容器２を容器保持具３に螺合している際の動作説明図である。初期状態として、容器保持具３に関しては壁面固定部材３８を介して壁面６に固定し、消毒液収容器２に関しては密封容器２１内に消毒液を充填し、開口部２１１aを膜部材２２で封止するとともに口部２１１に蓋部２３を固定し、大気連通孔２１２aを封止ビスで封止した状態する（ＳＴＥＰ１）。
【００４０】
まず、消毒液噴射装置１を設置する設置者は、カバー部３７をベース部３３から離間させた状態（カバー部３７を開いた状態）とし、消毒液収容器２の蓋部２３を下に向けて、導出孔３４１に対して螺合する（図６）。消毒液収容器２の蓋部２３が導出孔３４１を下方へ進むにしたがい、消毒液収容器２における開封閉塞部材２４の下端が当接部３４２に当接して、開封閉塞部材２４を上方に押し上げる（開封閉塞部材２４に対して開口部２１１aに接近する方向に外力が加わり、開封閉塞部材２４を上方に押し上げる）。この消毒液収容器２の先端が容器保持具３の導出孔３４１の下端まで進むと、図３のようになり、弁部２４２の膜部材２２を開封閉塞部材２４で開封し（開封閉塞部材２４が膜部材２２を穿孔する位置に移動し）、密封容器２１内の消毒液が導出孔３４１内に充填される（ＳＴＥＰ２）。また、大気連通孔２１２aを封止する封止ビスを取り外す。このように消毒液収容器２を容器保持具３に装着した後は、図１に示すようにカバー部３７をベース部３３に当接させた状態（カバー部３７を閉じた状態）として、消毒液噴射装置１の設置を終了する。
【００４１】
次に、洋式便器装置を使用する使用者は、便座を除菌するために例えばトイレットペーパーとする噴射対象物を手に取り、図１のように壁面６に固定された消毒液噴射装置１のノズル部３６１に噴射対象物を近づける。検知部３６２は、噴射対象物がノズル部３６１による噴射予定位置に接近したことを検知すると、消毒液収容器２内の消毒液をノズル部３６１から噴射対象物へ噴射する（ＳＴＥＰ３、４）。使用者は、この消毒液が噴射された噴射対象物を用いて、便座を拭き取り、便座を除菌する（ＳＴＥＰ５）。そして、使用者は、臀部を便座に下ろし、排泄行為を行う。
【００４２】
消毒液収容器２内の消毒液が少なくなったこと、または消毒液収容器２を容器保持具３に設置してから所定期間が過ぎたことを設置者が認識すると、設置者は、容器保持具３に装着された消毒液収容器２を新しい消毒液収容器２に交換する（ＳＴＥＰ６  ＹＥＳ）。具体的には、消毒液噴射装置１をカバー部３７がベース部３３から離間した状態とし、容器保持具３に保持された消毒液収容器２を容器保持具３から脱着する。この場合、図３のように装着状態にある消毒液収容器２を、容器保持具３に対して離間させて、図５のように弁部２４２を流出孔２３１に密着させる（弁部２４２が流出孔２３１を塞ぐ位置に移動する）（ＳＴＥＰ７）。この構成により、消毒液収容器２を容器保持具３から取り外す場合において、流出孔２３１が開封閉塞部材２４により自動的に閉塞され、消毒液収容器２を交換する場合に内部に収容する消毒液が外へ飛び散ることを防止することができる。
【００４３】
消毒液収容器２が容器保持具３から脱着され、大気連通孔２１２aを封止ビスで封止されると、設置者は、新しい消毒液を収容した消毒液収容器２を容器保持具３に装着して、消毒液収容器２の交換作業を終了する（ＳＴＥＰ８、１および２）。
【００４４】
上記のように、消毒液噴射装置１内の消毒液を補給する際に、古い消毒液を収容した消毒液収容器２と新しい消毒液を収容した消毒液収容器２とを交換するため、消毒液の補給作業後（消毒液収容器２の交換作業後）においても消毒液噴射装置１内に古い消毒液が残ることがない。すなわち、本実施形態の消毒液噴射装置１は、新しい消毒液を補給した後においても消毒液容器および消毒液のタンク内に古い消毒液が残る特許文献１および２に開示された手指消毒器および洋式便器のロータンクとは異なり、新しい消毒液を補給した後は、消毒液収容器２内に古い消毒液が残ることがない。そのため、本実施形態の消毒液噴射装置１は、新しい消毒液を収容した消毒液収容器２に交換した後は、薬効が劣化した消毒液（古い消毒液）を噴射部３６から噴射することがない。
【００４５】
また、消毒液収容器２を容器保持具３に装着した際に、大気連通孔２１２aから封止ビスを取り外すことで、容器保持具３内に空気を流入させて、消毒液収容器２内の消毒液を円滑にノズル部３６１へ供給させることができる。
【００４６】
（第２実施形態）
図７は第２実施形態の消毒液噴射装置１を設置した場合における概略図であり、図８は載置保持部材４の概略図である。座標系は第１実施形態と同じとする。
【００４７】
第２実施形態の消毒液噴射装置１は、第１実施形態における壁面固定部材３８に代えて、載置保持部材４とする。その他の構成は、第１実施形態の消毒液噴射装置１と同じであるため、同じ部材には同じ符号を付して、その説明は省略する。
【００４８】
載置保持部材４は、図７に示すように、消毒液噴射装置１のベース部３３を直立させるように噴射容器保持具３の端部を挟持し、設置面に対して固定するものである。具体的には、図８に示すように板状に延びる板状載置面４１と、板状載置面４１の上面に形成され、ベース部３３を挟持する挟持固定部４２とを有する。この挟持固定部４２に対して、ベース部３３の下端を押し込んで固定し、図７に示すように消毒液噴射装置１を直立させて、棚７等に設置する。この構成により、本実施形態の消毒液噴射装置１を設置する際にビス等を用いないため、壁面６等にビスによる孔が形成されることがない。
【００４９】
また、この挟持固定部４２における消毒液噴射装置１のベース部３３の挟持位置は、板状載置面４１の長手方向における先端から全長３／４の位置にすると良い。この位置でベース部３３を挟持することで、消毒液噴射装置１を安定した状態で棚７に固定することができる。
【００５０】
また、板状載置面４１は、挟持固定部４２の挟持位置を境界として前側部材（不図示）と後側部材（不図示）に分離できる構成としても良い。このように板状載置面４１を分離できる構成とすることで、消毒液噴射装置１を壁面６に固定する場合は、板状載置面４１を前側部材のみとし、消毒液噴射装置１を棚７に固定する場合は、板状載置面４１を前側部材および後側部材とすることができる。この構成により、各設置状況に応じて、消毒液噴射装置１を適切に壁面６または棚７に固定することができる。
【００５１】
さらに、上記実施形態において、消毒液噴射装置１のベース部３３を板状載置面４１の上面に形成された挟持固定部４２で挟持するものとして説明したが、特にこれに限られるものではなく、板状載置面４１の上面に溝部（不図示）を形成し、この溝部に対して消毒液噴射装置１のベース部３３を挿入して固定する構成としても良い。この構成により、板状載置面４１に溝部を形成するだけでベース部３３を板状載置面に固定することができるため、載置保持部材４の構成を簡略化することができる。
【００５２】
（第３実施形態）
図９は第３実施形態のカバー部３７を開いた際の消毒液噴射装置１における消毒液収納筒５および保持部３１を分解した分解斜視図である。座標系は第１実施形態と同じとする。
【００５３】
第３実施形態の消毒液噴射装置１は、第１実施形態における消毒液収容器２に代えて、消毒液収納筒５とする。その他の構成は、第１実施形態の消毒液噴射装置１と同じであるため、同じ部材には同じ符号を付して、その説明は省略する。
【００５４】
消毒液収納筒５は、図９に示すように、円筒形状をしており、下端に流出防止壁３５に嵌合する嵌合部５１を有する。この嵌合部５１を流出防止壁３５に嵌合させることで、消毒液収容器２に収容される消毒液の容量に関係なく、消毒液を消毒液噴射装置１内に補給することができる。また、消毒液噴射装置１を設置する設置者は、消毒液収容器２に代えて、流出防止壁３５に嵌合部５１を嵌合させる簡単な作業のみで、ノズル部３６１より噴射される消毒液を消毒液収容器２の容量に制限されないようにすることができる。
【００５５】
（第４実施形態）
図１０は第４実施形態のカバー部３７を開いた際の消毒液噴射装置１における容器２１’(消毒液収容手段)、膜部材２２’（消毒液収容手段）、蓋部２３’および弁部材２５を分解した分解斜視図であり、図１１は第４実施形態の消毒液噴射装置１における流出孔２３１’の中心を含むＸ−Ｚ断面図である。座標系は第１実施形態と同じとする。
【００５６】
第４実施形態の消毒液収容器２は、密封容器２１’の口部２１１の内側に固定する蓋部２３’とし、第１実施形態の開封閉塞部材２４に代えて弁部材（開封閉塞手段）２５および開封部材（開封閉塞手段）２６とする。その他の構成は、第１実施形態の消毒液噴射装置１と同じであるため、同じ部材には同じ符号を付して、その説明は省略する。
【００５７】
図１０に示すように、消毒液収容器２は、容器２１’、蓋部２３’ 、膜部材２２’および弁部材２５からなる。容器２１’は、胴部２１２および開口部２１１aを備える口部２１１を有する。蓋部２３’は、口部２１１に取付けられ、開口部２１１aと向き合う位置に、開口部２１１aの形成方向と同一方向に延びる流出孔２３１’が形成されたものであり、例えばゴムなどの弾性素材からなる。この蓋部２３’は、内側に消毒液を外部へ流出する流出孔２３１’および流出孔２３１’の内側上方に縮径構造をなした流出孔縮径部２３１’aを有する。膜部材２２’は、蓋部２３’における流出孔２３１’の下端に取り付けられている。この膜部材２２’を下端に取り付けた蓋部２３’を、口部２１１に押し込んで密着固定することで、胴部２１２内に収容された消毒液が消毒液収容器２内から流出することを防ぐ。
【００５８】
図１０に示すように、弁部材２５は、流出孔２３１’の上面を覆うように板状に延びる封止部２５１と、封止部２５１の下面から下方に延び、流出孔２３１’内に位置する引掛け部２５２からなる。この引掛け部２５２は、流出孔２３１’の流出孔縮径部２３１’aに引っ掛かる突起部２５２aを有する。
【００５９】
図１０に示すように、開封部材２６は、膜部材２２’を開封する開封部２６１と開封部２６１を保持する保持板２６２からなる。開封部２６１は先端を凸状としたものであり、保持板２６２は、消毒液の流出入が可能なようにメッシュ状に形成されたものである。
【００６０】
次に、第４実施形態の消毒液収容器２における容器２１’に対する蓋部２３’、弁部材２５および開封部材２６の固定方法、容器２１’を容器保持具３への装着方法および脱着方法について説明する。なお、第４実施形態の消毒液収容器２を容器保持具３に装着した後については、第１実施形態の消毒液噴射装置１の使用方法と同じであるため、説明を省略する。
【００６１】
まず、蓋部２３’の流出孔２３１’に弁部材２５を押し込み、突起部２５２aを流出孔２３１’の流出孔縮径部２３１’aに引掛け、弁部材２５を蓋部２３’に固定する。消毒液収容器２の口部２１１を上方に向けた状態とし、消毒液収容器２内に所定量の消毒液を充填する。弁部材２５を固定した蓋部２３’を消毒液収容器２の口部２１１に押し込み、口部２１１に対して蓋部２３’を密着固定させ、蓋部２３’の流出口２３１’を膜部材２２’で密封する。ここで、消毒液収容器２を搬送する際には、キャップ（不図示）を消毒液収容器２の口部２１１の外側に螺合する。これにより、搬送時において、消毒液収容器２内の消毒液が外へ漏れ出すことを防止する。
【００６２】
消毒液収容器２を容器保持具３に装着する際には、設置者は、台座部３４の当接部３４２に開封部２６１が上を向く状態で開封部材２６を載置し、消毒液収容器２の口部２１１に螺合したキャップを取り外し、図１１のように消毒液収容器２の口部２１１を下向きにして、容器保持具３の導出孔３４１に消毒液収容器２の口部２１１を螺合する。この螺合動作が進むにしたがって（開封部２６１が開口部２１１aへ接近する方向に外力が加わるにしたがって、（弁部材２５および開封部材２６が膜部材２２’を穿孔する位置に進むにしたがって））、図１１のように、開封部材２６が、膜部材２２’を穿孔するとともに、突起部２５２aを押し上げて、消毒液収容器２内の消毒液を導出孔３４１へ流出させる。このようにして、消毒液収容器２を容器保持具３に対して装着することで、装着する際に消毒液収容器２内の消毒液が外へ漏れ出すことを防止する。
【００６３】
消毒液収容器２を容器保持具３から脱着する際には、設置者が容器保持具３から消毒液収容器２を上方に持ち上げる。この動作により、弁部材２５の突起部２５２aが開封部材２６から離間し、弁部材２５の自重により、弁部材２５が下方へ動き（開口部２１１aへ接近する方向に外力が無くなると、膜部材２２’から離間し、（弁部材２５および開封部材２６が膜部材２２’を穿孔する位置から弁部材２５が膜部材２２’を塞ぐ位置へ移動し））、封止部２５１により流出孔２３１’を塞ぐ。このようにして、消毒液収容器２を容器保持具３から脱着することで、脱着する際に消毒液収容器２内の消毒液が外へ漏れ出すことを防止することができる。
【００６４】
上記構成により、第４実施形態の消毒液収容器２は、消毒液収容器２を容器保持具３に装着および脱着する際に、消毒液収容器２内の消毒液が外へ漏れ出すことを防止することができる。また、第４実施形態の消毒液収容器２における蓋部２３’、弁部材２５および開封部材２６は、第１実施形態の消毒液収容器２の蓋部２３および開封閉塞部材２４よりも構成が簡略であるため、消毒液収容器２の製造コストを低減させることができる。
【００６５】
（他の実施形態）
上記第１実施形態乃至第４実施形態の消毒液噴射装置１では、洋式便器装置の便座を除菌するために用いるものとして説明したが特にこれに限られるものではなく、使用者の手指に付着した細菌を殺菌するために用いても良い。具体的には、手指の衛生が求められるレストラン、病院、食品加工施設等の入口において、本実施形態の消毒液噴射装置１を設置し、建物内に入る使用者が消毒液噴射装置１に手をかざした場合に、消毒液収容器２内に収容した消毒液を使用者の手指（噴射対象物）に噴射する。この構成により、本実施形態の消毒液噴射装置１を用いて、使用者の手指に付着した細菌を殺菌することができる。
【００６６】
また、上記第１実施形態乃至第４実施形態の消毒液噴射装置１において、単に密封容器２１、容器２１’に蓋部２３、２３’を固定する構成として説明したが、密封容器２１、容器２１’に蓋部２３、２３’を固定した後に蓋部２３を上からかしめて密封容器２１、容器２１’と蓋部２３、２３’が外れないようにしても良い。この構成により、蓋部２３、２３’内に収容された消毒液が使用者の取り扱いミスで、密封容器２１、容器２１’から蓋部２３、２３’が外れて、蓋部２３、２３’の外へ消毒液が漏れ出すことを防止することができる。
【００６７】
また、上記第１実施形態乃至第４実施形態の消毒液収容器２の底面に形成された大気連通孔２１２aを封止するために、封止ビスを用いるものとして説明したが、特にこれに限られるものではなく、封止テープ（不図示）により塞ぐものとしても良い。
【００６８】
本発明における一実施形態について説明したが、本発明の精神および範囲を逸脱しないかぎり、様々な変更および改質がなされ得ることは、当業者には自明であろう。
【符号の説明】
【００６９】
１  消毒液噴射装置
２  消毒液収容器
２１  密封容器（消毒液収容手段）      ２１’  容器（消毒液収容手段）      ２１１  口部      ２１１a  開口部      ２１２  胴部      ２１２a  大気連通孔      ２１３  容器側螺合部      ２２  膜部材      ２２’  膜部材（消毒液収容手段）      ２３  ２３’  蓋部      ２３１  ２３１’  流出孔      ２３１’a  流出孔縮径部      ２３２  螺合溝      ２３３  蓋側螺合部（螺合部）      ２４  開封閉塞部材（開封閉塞手段）      ２４１  可動部      ２４２  弁部      ２４３  付勢部材      ２５  弁部材（開封閉塞手段）      ２５１  封止部      ２５２  引掛け部      ２５２a  突起部      ２６  開封部材（開封閉塞手段）      ２６１  開封部      ２６２  保持板
３  容器保持具
３１  保持部      ３１１  挿入キー      ３１１a  キー装着部      ３１１ｂ  係止部      ３２  側面保持部材      ３２１  保持部側キー溝      ３２１a  挿通部      ３２１ｂ  被係止部      ３３  ベース部      ３３１  係合孔      ３４  台座部      ３４１  導出孔      ３４２  当接部      ３５  流出防止壁      ３６  噴射部      ３６１  ノズル部      ３６２  検知部      ３７  カバー部      ３７１  軸部      ３７２  カバー部側キー溝      ３８  壁面固定部材      ３８１  係合部      ３８２  ビス孔      ３９  電池収容部
４  載置保持部材
４１  板状載置面      ４２  挟持固定部
５  消毒液収納筒
５１  嵌合部
６  壁面      ７  棚
【図１】
2014036707.tif 000003
【図２】
2014036707.tif 000004
【図３】
2014036707.tif 000005
【図４】
2014036707.tif 000006
【図５】
2014036707.tif 000007
【図６】
2014036707.tif 000008
【図７】
2014036707.tif 000009
【図８】
2014036707.tif 000010
【図９】
2014036707.tif 000011
【図１０】
2014036707.tif 000012
【図１１】
2014036707.tif 000013